(57)【要約】【課題】温調パネルによる冷房が行われている状態で室内機による冷房を開始する際に室内機から生じる音の大きさを抑制する空気温調装置を提供する。【解決手段】冷媒が循環する循環回路１６によって、圧縮機１１と室外熱交換器１３と室内熱交換器１５を接続し、循環回路１６を分岐させて、温調パネル１７に接続された水熱交換器３０に冷媒を供給する分岐路３４を形成し、室外熱交換器１３を室内熱交換器１５に連結する流路を開閉する弁２０と、分岐路３４を開閉する弁３５とを備える空気温調装置１０において、室外熱交換器１３からの冷媒が分岐路３５に送られ室内熱交換器１５に供給されていない状態で、制御手段２３が室内熱交換器１５に冷媒を送る指令信号を受信した際には、制御手段２３は、取得した圧縮機１１の運転周波数が、判定基準周波数より大きい場合、圧縮機１１の運転周波数が判定基準周波数以下になったのを検知して弁２０を開く。【選択図】図１
2012255569.tif 000002
【特許請求の範囲】
【請求項１】
冷媒が循環する循環回路Ａによって、冷房運転時の前記冷媒の流れに沿って配置されたインバータ駆動の圧縮機と室外機に設けられた室外熱交換器と室内機に設けられた室内熱交換器とを接続し、該循環回路Ａを分岐させて、循環回路Ｂを介して温調パネルに接続された水熱交換器に前記冷媒を供給する分岐路を形成し、前記室外熱交換器を前記室内熱交換器に連結する流路を開閉する第１の弁と、前記分岐路の流路を開閉する第２の弁とを備える空気温調装置において、
前記圧縮機には、前記第１、第２の弁に開閉信号を送信する制御手段が信号接続され、前記室外熱交換器からの前記冷媒が前記分岐路に送られ前記室内熱交換器には供給されていない状態で、前記制御手段が前記室内熱交換器に前記冷媒を送る指令信号を受信した際には、前記制御手段は、取得した前記圧縮機の運転周波数をＸとし、予め設定された判定基準周波数をＸ０として、Ｘ＞Ｘ０の場合には、前記圧縮機に前記運転周波数を下げる指令信号を送信し、該圧縮機の該運転周波数が前記判定基準周波数以下になったのを検知して前記第１の弁を開き、Ｘ≦Ｘ０の場合には、前記圧縮機の前記運転周波数を変えることなく、前記第１の弁を開くことを特徴とする空気温調装置。
【請求項２】
請求項１記載の空気温調装置において、前記第１の弁は、前記室外熱交換器と前記室内熱交換器を連結する流路の開閉に加えて、前記冷媒の圧力を下げることが可能な膨張弁であることを特徴とする空気温調装置。
【請求項３】
請求項１又は２記載の空気温調装置において、前記Ｘ＞Ｘ０の場合、前記制御手段は、前記圧縮機の運転周波数が前記判定基準周波数に等しくなったのを検知して前記第１の弁を開くことを特徴とする空気温調装置。
【請求項４】
請求項１〜３のいずれか１項に記載の空気温調装置において、前記温調パネルは床下に配置され床冷房を行うことが可能であることを特徴とする空気温調装置。
【請求項５】
請求項１〜４のいずれか１項に記載の空気温調装置において、前記循環回路Ａには、該循環回路Ａを循環する前記冷媒の流れを切り替える四方弁が設けられ、該冷媒の流れを、冷房運転時の流れと逆にすることによって暖房運転を行うことを特徴とする空気温調装置。
【発明の詳細な説明】
【技術分野】
【０００１】
本発明は、室内に冷風を吹出す室内機と冷媒が循環する温調パネルによって室内の冷房を行う空気温調装置に関する。
【背景技術】
【０００２】
従来、家庭や職場の多くでは、室外機と室内機を循環回路を介して接続した空気温調装置によって室内の冷房が行われている。
室内機は、室内の空気を吸気し温度を下げた後にこの空気を室内に放出する。循環回路を循環する冷媒は、室内機に設けられた室内熱交換器を通過する際に室内の空気から熱を吸収し、この熱を室外機に設けられた室外熱交換器を通過の際に外気に放熱する。
そして、空気温調装置には、室内機に加え、温調パネルを用いて室内を冷房するものがあり、その具体例が特許文献１に記載されている。
【０００３】
特許文献１の空気温調装置は、温調パネル（床パネル）を床下に配置し、この温調パネルに、循環回路を循環する冷媒によって冷やされた水を供給して床冷房を行う。
循環回路は、室内を冷房する際の冷媒の流れに沿って室外熱交換器の出側で分岐し、温調パネルに送られる水を冷やすための分岐路を形成する。循環回路の分岐点には、室外熱交換器と室内熱交換器を連結する流路を開閉する弁と分岐路を開閉する弁が設けられ、一方の弁を開き他方を閉じると、室内機又は温調パネルのいずれか一方による冷房を行うことができ、両方の弁を開くと、室内機及び温調パネルの両方で冷房を行うことができる。
従って、温調パネルのみによって冷房を行っている状態で、室外熱交換器と室内熱交換器を連結する流路を開くと、室内熱交換器への冷媒の供給が始まり、室内機による冷房が開始されることになる。
【先行技術文献】
【特許文献】
【０００４】
【特許文献１】特開２００３−３２２３８８号公報
【発明の概要】
【発明が解決しようとする課題】
【０００５】
ところで、流路に液体を流し始める際には、その流路内に液体が流れ始める音が生じ、その音は液体の流れ始めに勢いがあるほど大きくなることが一般的に知られている。
しかしながら、特許文献１には、温調パネルによる冷房のみを行っている状態で、室内機による冷房を開始することによって生じる音を抑制することについての開示がない。このため、温調パネルによる冷房を行っている際に室内機の冷房を開始すると、室内熱交換器に向かって流れ始める冷媒の勢いによっては、室内機が設置されている部屋に室内熱交換器を介して大きな音が伝わり、居住者に不快感を与えることになる。
本発明は、かかる事情に鑑みてなされるもので、温調パネルによる冷房が行われている状態で室内機による冷房を開始する際に室内機から生じる音の大きさを抑制する空気温調装置を提供することを目的とする。
【課題を解決するための手段】
【０００６】
前記目的に沿う本発明に係る空気温調装置は、冷媒が循環する循環回路Ａによって、冷房運転時の前記冷媒の流れに沿って配置されたインバータ駆動の圧縮機と室外機に設けられた室外熱交換器と室内機に設けられた室内熱交換器とを接続し、該循環回路Ａを分岐させて、循環回路Ｂを介して温調パネルに接続された水熱交換器に前記冷媒を供給する分岐路を形成し、前記室外熱交換器を前記室内熱交換器に連結する流路を開閉する第１の弁と、前記分岐路の流路を開閉する第２の弁とを備える空気温調装置において、前記圧縮機には、前記第１、第２の弁に開閉信号を送信する制御手段が信号接続され、前記室外熱交換器からの前記冷媒が前記分岐路に送られ前記室内熱交換器には供給されていない状態で、前記制御手段が前記室内熱交換器に前記冷媒を送る指令信号を受信した際には、前記制御手段は、取得した前記圧縮機の運転周波数をＸとし、予め設定された判定基準周波数をＸ０として、Ｘ＞Ｘ０の場合には、前記圧縮機に前記運転周波数を下げる指令信号を送信し、該圧縮機の該運転周波数が前記判定基準周波数以下になったのを検知して前記第１の弁を開き、Ｘ≦Ｘ０の場合には、前記圧縮機の前記運転周波数を変えることなく、前記第１の弁を開く。
【０００７】
本発明に係る空気温調装置において、前記第１の弁は、前記室外熱交換器と前記室内熱交換器を連結する流路の開閉に加えて、前記冷媒の圧力を下げることが可能な膨張弁であるのが好ましい。
【０００８】
本発明に係る空気温調装置において、前記Ｘ＞Ｘ０の場合、前記制御手段は、前記圧縮機の運転周波数が前記判定基準周波数に等しくなったのを検知して前記第１の弁を開くのが好ましい。
【０００９】
本発明に係る空気温調装置において、前記温調パネルは床下に配置され床冷房を行うのが好ましい。
【００１０】
本発明に係る空気温調装置において、前記循環回路Ａには、該循環回路Ａを循環する前記冷媒の流れを切り替える四方弁が設けられ、該冷媒の流れを、冷房運転時の流れと逆にすることによって暖房運転を行うのが好ましい。
【発明の効果】
【００１１】
本発明に係る空気温調装置は、制御手段が室内熱交換器に冷媒を送る指令信号を受信した際に、取得した圧縮機の運転周波数をＸとし、判定基準周波数をＸ０として、Ｘ＞Ｘ０の場合には、圧縮機の運転周波数が判定基準周波数以下になったのを検知して第１の弁を開くので、冷媒は、圧力が落とされてから室内熱交換器に流れ始めることになり、室内熱交換器に流れ始める際に室内熱交換器を介して室内に伝わる冷媒の流動音を抑制でき、居住者に不快感を与えるのを防止可能である。
また、Ｘ≦Ｘ０の場合には、圧縮機の運転周波数を変えることなく第１の弁を開くので、室内に伝わる冷媒の流動音が居住者に不快感を与えない状態では、冷房能力のレベルを下げることなく室内機による冷房を開始することができる。
【００１２】
本発明に係る空気温調装置において、第１の弁が流路の開閉に加えて、冷媒の圧力を下げることが可能な膨張弁である場合、循環回路Ａに冷媒の圧力を調整する膨張弁と流路を閉じる開閉弁を設ける必要がなく、空気温調装置を構成する部品点数を減らすことができ、空気温調装置の製造コストを抑制可能である。
【００１３】
本発明に係る空気温調装置において、Ｘ＞Ｘ０の場合に、制御手段が、圧縮機の運転周波数が判定基準周波数に等しくなったのを検知して第１の弁を開く場合には、必要以上に冷房能力を落とすことなく、室内機による冷房を開始することができる。
【００１４】
本発明に係る空気温調装置において、温調パネルが床下に配置され床冷房を行うことが可能である場合、床冷房を行うための装置を空気温調装置とは別に設ける必要がなく経済的である。
【００１５】
本発明に係る空気温調装置において、冷媒の流れを切り替える四方弁が設けられ、冷媒の流れを、冷房運転時の流れと逆にすることによって暖房運転を行う場合、空気温調装置を設けることで冷房と暖房が行え、空気温調装置とは別に暖房専用機器を設ける必要がなく経済的である。
【図面の簡単な説明】
【００１６】
【図１】本発明の一実施の形態に係る空気温調装置の説明図である。
【図２】同空気温調装置の制御手段の信号接続を示す回路図である。
【図３】同空気温調装置の室内機による冷房を示す説明図である。
【図４】同空気温調装置の床冷房を示す説明図である。
【図５】同空気温調装置の室内機による冷房を行う際の流れを示すフローチャートである。
【発明を実施するための形態】
【００１７】
続いて、添付した図面を参照しつつ、本発明を具体化した実施の形態につき説明し、本発明の理解に供する。
図１、図２に示すように、本発明の一実施の形態に係る空気温調装置１０は、圧縮機１１と、室外機１２に設けられた室外熱交換器１３と、室内機１４に設けられた室内熱交換器１５とを循環回路１６（循環回路Ａ）によって接続し、循環回路１６を循環する冷媒Ｃ１を介して室内の熱を室外に運ぶことにより室内を冷房する装置である。
また、空気温調装置１０は、温調パネル１７が設けられた、冷媒Ｃ２が循環する循環回路１８（循環回路Ｂ）を備え、室温より低温の冷媒Ｃ２を温調パネル１７に供給し、この温調パネル１７によっても室内の冷房を行うことができる。以下、詳細に説明する。
【００１８】
室内機１４は、図１に示すように、循環回路１６を介して室外熱交換器１３に接続された室内熱交換器１５と室内機１４の筐体内に取込んだ室内の空気を筐体から室内に放出するクロスフローファン１９を備えている。
室外機１２は建屋の外に設置されており、室外機１２に設けられた室外熱交換器１３は、循環回路１６を循環する冷媒Ｃ１（本実施の形態ではフロンＲ４１０Ａ）と外気の間で熱交換を行う。
室外熱交換器１３が行う熱交換には、冷媒Ｃ１が外気に熱を放熱するものと、冷媒Ｃ１が外気から熱を吸収するものがあり、循環回路１６を循環する冷媒Ｃ１の流れ方向に応じて、室外熱交換器１３で、いずれかの熱交換が行なわれる。そして、室外熱交換器１３において冷媒Ｃ１が外気に対して熱を放熱するとき、室内熱交換器１５によって室内の空気が冷やされて冷房運転がなされ、室外熱交換器１３において冷媒Ｃ１が外気から吸熱するとき、室内熱交換器１５によって室内の空気が暖められて暖房運転がなされる。
【００１９】
循環回路１６には、室内熱交換器１５及び室外熱交換器１３に加えて、室内熱交換器１５及び室外熱交換器１３とヒートポンプサイクルを構成する、圧縮機１１及び電子膨張弁２０（第１の弁）が設けられている。また、循環回路１６には、循環回路１６を循環する冷媒Ｃ１の流れる方向を切り替える四方弁２１が取り付けられている。
圧縮機１１は、インバータ駆動であり、このインバータの出力値を変えることよって運転周波数を調整することができる。
圧縮機１１は、図２に示すように、冷房運転及び暖房運転の制御を行う制御手段２３に信号接続されており、制御手段２３から送信される指令信号によって運転周波数を変え、圧縮機１１から吐出される冷媒Ｃ１の圧力を調整する。
【００２０】
制御手段２３には、圧縮機１１から吐出される冷媒Ｃ１の温度を計測するサーミスタ２４と、室内熱交換器１５に流入する前の冷媒Ｃ１の温度を計測するサーミスタ２５と、室内熱交換器１５から流出した冷媒Ｃ１の温度を計測するサーミスタ２６が信号接続されている。
制御手段２３は、サーミスタ２４〜２６を介して計測した各計測点における冷媒Ｃ１の温度と冷房運転あるいは暖房運転の設定温度を基にして、圧縮機１１の運転周波数を決定し、その決定した運転周波数で圧縮機１１を運転する指令信号を圧縮機１１に送信する。
なお、制御手段２３は、例えばマイクロコンピュータであり、圧縮機１１の運転周波数を定めるためのプログラムをはじめとする、冷房運転及び暖房運転に必要な各種のプログラムを搭載し、冷房運転及び暖房運転の設定温度を記憶するための記憶デバイスを備えている。
【００２１】
そして、制御手段２３は、電子膨張弁２０に信号接続されており、圧縮機１１の運転周波数を基に、電子膨張弁２０の開度を求め、電子膨張弁２０に対して開度調整のための指令信号を送信する。
制御手段２３によって決定される電子膨張弁２０の開度は、圧縮機１１の単位消費電力に対する冷房能力あるいは暖房能力、即ち、ＣＯＰ（Ｃｏｅｆｆｉｃｉｅｎｔ  ｏｆ  Ｐｅｒｆｏｒｍａｎｃｅ）を高水準に保ち、冷房運転時あるいは暖房運転時の消費電力を抑制するものである。
【００２２】
制御手段２３は、四方弁２１及びコントローラ２７にも信号接続されている。制御手段２３は、コントローラ２７から制御手段２３に送られる信号に応じて、四方弁２１に対し冷媒Ｃ１の流動方向を切り替える指令信号を送信する。
具体的には、制御手段２３は、コントローラ２７から室内機１４による冷房を開始する信号を受信すると、図３に示すように、四方弁２１を、室外熱交換器１３から出た冷媒Ｃ１が電子膨張弁２０及び室内熱交換器１５を順に通過した後に圧縮機１１を通って室外熱交換器１３に戻る状態にする。
【００２３】
四方弁２１をこのような状態にすることによって、圧縮機１１により高圧にされたガス状の冷媒Ｃ１は、室外熱交換器１３を通過中に凝縮して外気に凝縮熱を放出し、電子膨張弁２０によって減圧される。減圧された冷媒Ｃ１は室内熱交換器１５を通過する際に蒸発して室内機１４の筐体に取込まれた室内の空気の温度を下げる。従って、室内機１４の筐体から室内に放出される空気は室内温度より低くなり、室内を冷房することができる。
なお、コントローラ２７には、複数の操作ボタン及び表示画面が設けられており、コントローラ２７からの入力操作によって、冷房開始や設定温度の変更等がなされる。
【００２４】
そして、四方弁２１が冷房運転を行うための流路を形成しているときに、コントローラ２７から制御手段２３に暖房運転開始の信号が送信されると、制御手段２３は、四方弁２１に指令信号を送信して、冷媒Ｃ１の流れを、冷房運転時の流れと逆にする。
四方弁２１は、制御手段２３から指令信号を受信すると、冷房運転時の冷媒Ｃ１の流れる方向を切り替え、室外熱交換器１３から出た冷媒Ｃ１が圧縮機１１及び室内熱交換器１５を順に通過した後に電子膨張弁２０を通って室外熱交換器１３に戻る状態にする。
これにより、電子膨張弁２０により減圧された液状の冷媒Ｃ１は、室外熱交換器１３に送られ外気の熱を吸熱して蒸発し、圧縮機１１により高圧にされた後に、室内熱交換器１５で凝縮して室内の空気を暖める。
【００２５】
室外機１２には、図１に示すように、室外熱交換器１３における冷媒Ｃ１と外気の熱交換を促進するプロペラファン２８が設けられ、プロペラファン２８は、信号接続線を介して制御手段２３から送信される指令信号に従って、運転を開始あるいは停止する。
なお、室外機１２と室内機１４は、循環回路１６を介して連結されており、室外機１２の筐体と室内機１４の筐体には、循環回路１６に設けられた開閉弁２９がそれぞれ２つずつ取り付けられている。開閉弁２９は通常開いた状態であり、メンテナンス時に閉じられる。
【００２６】
また、空気温調装置１０には、循環回路１８が設けられている。循環回路１８には、床下に配置された温調パネル１７と温調パネル１７に循環回路１８を介して接続された水熱交換器３０が設けられている。そして、循環回路１８内には冷媒Ｃ２（具体的には、不凍液、あるいは水）が注入されている。
冷媒Ｃ２は、循環回路１８に取り付けられた循環ポンプ３１の運転によって、循環回路１８を循環し、水熱交換器３０から流れ出た冷媒Ｃ２は温調パネル１７に送られる。
なお、循環回路１８には、冷媒Ｃ２を貯留する給水タンク３２が設けられている。
【００２７】
水熱交換器３０は、室外機１２内に固定され、冷媒Ｃ２が水熱交換器３０を通過する際に、熱交換によって冷媒Ｃ２の温度を上昇させ、あるいは降下させる。温調パネル１７には全体に導管が配管されており、水熱交換器３０から送り出された冷媒Ｃ２は、温調パネル１７に送られ、温調パネル１７に配管された導管に沿って流れる。温調パネル１７は、温調パネル１７の導管を流れる冷媒Ｃ２によって、温調パネル１７が設置されている床下を暖めて床暖房を行い、あるいは床下を冷やして床冷房を行う。
【００２８】
循環回路１８は、一部が室外機１２の筐体内に配管され、室外機１２の筐体には、筐体内と筐体外の境に、循環回路１８の流路を閉じる開閉弁３３が取り付けられている。この開閉弁３３は、温調パネル１７のメンテナンスの際に閉じられるが、通常は開かれている。
なお、循環ポンプ３１は、図２に示すように、制御手段２３に信号接続され、制御手段２３から送信される指令信号に従って運転の開始あるいは停止を行う。
【００２９】
循環回路１６は、図１に示すように、冷房運転時の冷媒Ｃ１の流れに沿って室外熱交換器１３の冷媒Ｃ１の出側で分岐し、水熱交換器３０に冷媒Ｃ１を供給する分岐路３４を形成している。
水熱交換器３０は、室外熱交換器１３から供給される冷媒Ｃ１と循環回路１８を循環する冷媒Ｃ２を熱交換して冷媒Ｃ２の温度を上昇させ、あるいは降下させる（床冷房時は降下）。
なお、温調パネル１７による床冷房が行われているとき及び室内機１４による冷房が行われているときは、冷媒Ｃ１の室外熱交換器１３を流れる方向が同じである。また、温調パネル１７による床暖房が行われているとき及び室内機１４による暖房が行われているときは、冷媒Ｃ１の室外熱交換器１３を流れる方向が冷房運転時のときと逆の方向になる。
【００３０】
分岐路３４は、冷房運転時の冷媒Ｃ１の流れに沿って、室外熱交換器１３の出側と圧縮機１１の入側を接続しているので、室外熱交換器１３から送り出された冷媒Ｃ１は、分岐路３４を介して水熱交換器３０を通過した後に圧縮機１１に送られる。
分岐路３４には、循環回路１６の分岐点の近傍に、分岐路３４の流路を開閉する電子膨張弁３５（第２の弁）が設けられている。
電子膨張弁３５は、制御手段２３に信号接続されており（図２参照）、制御手段２３からの指令信号によって分岐路３４の流路を閉じ、室外熱交換器１３から送り出された冷媒Ｃ１が水熱交換器３０に供給されないようにする。そして、制御手段２３から電子膨張弁３５に分岐路３４の流路を開く指令信号（開閉信号）が送信されると、分岐路３４の流路は開かれ、図４に矢印で示すように、室外熱交換器１３からの冷媒Ｃ１が水熱交換器３０に供給される状態にする。
更に、電子膨張弁３５は、制御手段２３からの指令信号に従って、分岐路３４を流れる冷媒Ｃ１の流量を調整することもできる。
【００３１】
電子膨張弁２０は、循環回路１６の分岐点の近傍に配置され、制御手段２３からの指令信号（開閉信号）によって、室外熱交換器１３と室内熱交換器１５を連結する流路を開閉する。
従って、電子膨張弁２０、３５は、流路の開閉と冷媒Ｃ１の流量調整と冷媒Ｃ１の圧力を下げることが可能であり、本実施の形態では、電子膨張弁２０、３５は共に全閉式の電子膨張弁である。
制御手段２３は、室内機１４を停止した状態で床冷房を行うための操作がコントローラ２７で行われたのを検知すると、電子膨張弁２０、３５に指令信号を送信し、電子膨張弁２０を閉じ電子膨張弁３５を開いて、室外熱交換器１３からの冷媒Ｃ１が、全て水熱交換器３０に送られる状態にする。次に、制御手段２３は、圧縮機１１及び循環ポンプ３１に指令信号を送信し、圧縮機１１及び循環ポンプ３１にそれぞれ運転を行わせ、循環回路１６に冷媒Ｃ１を循環させ、循環回路１８に冷媒Ｃ２を循環させて床冷房を開始する。
【００３２】
そして、床冷房を行っている際に、制御手段２３が、コントローラ２７から床冷房に加えて、室内機１４による冷房を行う（即ち、室内熱交換器１５にも冷媒Ｃ１を送る）指令信号を受信すると、制御手段２３は、電子膨張弁２０を開いて室外熱交換器１３からの冷媒Ｃ１が水熱交換器３０に加えて室内熱交換器１５にも供給されるようにする（併用運転の開始）。
【００３３】
ここで、室外熱交換器１３からの冷媒Ｃ１が室内熱交換器１５に流れ始める際、室内機１４が設置されている室内には、室内熱交換器１５を介して冷媒Ｃ１の流動音が伝わる。この流動音は、電子膨張弁２０を開くときに循環回路１６の分岐路３４を流れている（即ち、室外熱交換器１３の出側の）冷媒Ｃ１の流速が速いほど大きくなり、室外熱交換器１３の出側の冷媒Ｃ１の流速によっては、居住者が不快に感じるレベルの大きさになる。
【００３４】
そこで、制御手段２３は、電子膨張弁２０を開く前に、圧縮機１１から圧縮機１１の運転周波数を取得し、その運転周波数の大きさによっては、圧縮機１１の運転周波数を下げて室外熱交換器１３の出側の冷媒Ｃ１の速度を落とす。以下に、室内機１４による冷房を開始する際の動作について詳しく説明する。
図５に示すように、コントローラ２７から制御手段２３に対して、室内機１４による冷房を開始する指令信号が送信されると（ステップＳ１）、制御手段２３は、床冷房中であるか否かを判断し（ステップＳ２）、床冷房を行っていないことを検知した場合には、電子膨張弁２０を開き、クロスフローファン１９を運転させて、室内機１４による冷房運転を開始する（ステップＳ３）。なお、クロスフローファン１９は制御手段２３に信号接続されている（図２参照）。
【００３５】
一方、ステップＳ２で、床冷房を行っていることが検知された場合（即ち室外熱交換器１３からの冷媒Ｃ１が分岐路３４に送られ室内熱交換器１５には供給されていない場合）、制御手段２３は、圧縮機１１から圧縮機１１の運転周波数Ｘを取得し（ステップＳ４）、この取得した運転周波数Ｘと予め制御手段２３に設定されていた判定基準周波数Ｘ０を比較する（ステップＳ５）。そして、Ｘ≦Ｘ０の場合、制御手段２３は、圧縮機１１の運転周波数を変えることなく、電子膨張弁２０を開き、クロスフローファン１９を運転させて、室内機１４による冷房運転を開始する（ステップＳ３）。
【００３６】
一方、Ｘ＞Ｘ０の場合、制御手段２３は、圧縮機１１に対して運転周波数Ｘを、判定基準周波数Ｘ０以下まで下げる指令信号を送信する（ステップＳ６）。そして、クロスフローファン１９を運転させ、ＸがＸ０以下になったのを検知してから電子膨張弁２０を開き、室内機１４による冷房運転を開始し（ステップＳ７）、冷媒Ｃ１が室内熱交換器１５を通過するのに十分な時間が経過した後に圧縮機１１の運転周波数を上げる（ステップＳ８）。
このような制御を行うことにより、室内熱交換器１５に流れ始める際に生じる冷媒Ｃ１の流動音が抑制され、室内にいる居住者に不快感を与えるのを防止することができる。
【００３７】
本実施の形態において、圧縮機１１の運転周波数を下げるか否かの判定基準となる判定基準周波数Ｘ０は、圧縮機１１に許容される最大運転周波数をＭとして、Ｍ／４≦Ｘ０≦Ｍ／２の値であり、具体的にはＸ０＝Ｍ／３である。このように、判定基準周波数Ｘ０を圧縮機１１に許容される最大運転周波数を基に決定しているのは、循環回路を形成している導管の長さや径、室内熱交換器の仕様からＸ０を決定するのに比べ、その決定プロセスが容易なためである。
また、Ｘ０をＭ／４≦Ｘ０≦Ｍ／２の値にしているのは、種々の実験により、Ｘ０がこの範囲の値を超えると、室内機が設置されている室内に居る人が冷媒Ｃ１の流動音を不快に感じる割合が大きくなった（例えば３０％以上になった）からである。
【００３８】
なお、Ｘ＞Ｘ０の場合、ステップＳ６において、制御手段２３が、圧縮機１１の運転周波数Ｘが半径基準周波数Ｘ０に等しく（Ｘ＝Ｘ０）なったのを検知して電子膨張弁２０を開くのが好ましい。
電子膨張弁２０を開くタイミングをＸ＝Ｘ０を検知したときにすることによって、床冷房運転の能力を過剰に落とすことなく、室内機１４による室内の冷房を円滑に開始することができる。
【００３９】
以上、本発明の実施の形態を説明したが、本発明は、上記した形態に限定されるものでなく、要旨を逸脱しない条件の変更等は全て本発明の適用範囲である。
例えば、空気温調装置は、暖房機能を備えない冷房専用の装置であってもよい。
また、温調パネルは床下に配置されるものに限らず、床上に立てた状態で置かれ室内の温度を下げるものでもよく、又、ファンコンベクターのような放熱機でもよい。
そして、冷媒Ｃ１が循環する循環回路及び分岐路に設けられた２つの電子膨張弁は、流路を閉じる機能を備えないものにすることができ、この場合、循環回路には、室外熱交換器と室内熱交換器を連結する流路を閉じる開閉弁及び分岐路を閉じる開閉弁が更に設けられる。
【符号の説明】
【００４０】
１０：空気温調装置、１１：圧縮機、１２：室外機、１３：室外熱交換器、１４：室内機、１５：室内熱交換器、１６：循環回路、１７：温調パネル、１８：循環回路、１９：クロスフローファン、２０：電子膨張弁、２１：四方弁、２３：制御手段、２４〜２６：サーミスタ、２７：コントローラ、２８：プロペラファン、２９：開閉弁、３０：水熱交換器、３１：循環ポンプ、３２：給水タンク、３３：開閉弁、３４：分岐路、３５：電子膨張弁
【図１】
2012255569.tif 000003
【図２】
2012255569.tif 000004
【図３】
2012255569.tif 000005
【図４】
2012255569.tif 000006
【図５】
2012255569.tif 000007